(57)【要約】送信側の認証カードＡ及び送受信装置Ｂは、認証データを第１、第２の換算定数によってそれぞれ第２、第１の代替値に換算する手段と、第１の代替値及び第１の換算定数を含む第１発信信号と第２の代替値及び第２の換算定数を含む第２発信信号とを送受信装置Ｂへ送信する手段と、を備え、受信側の送受信装置Ｂは、送信側からの第１及び第２発信信号から第１及び第２の代替値と第１及び第２の換算定数を認識する手段と、第１の代替値及び第２の換算定数とから第１の復号データを演算し第２の代替値及び第１の換算定数とから第２の復号データを演算する手段と、を備えた。
2002030040.tif 000002
【特許請求の範囲】
【請求項１】
送信機器から受信機器へデータを送信するデータ送信システムであって、
前記送信機器は、認証データを第１の換算定数、第２の換算定数によってそれぞれ第２の代替値、第１の代替値に換算する手段と、前記第１の代替値及び前記第１の換算定数を含む第１発信信号と前記第２の代替値及び前記第２の換算定数を含む第２発信信号とを、送信時刻又は送信経路の少なくとも一方を異ならせて前記受信機器へ伝送する手段と、を備え、
前記受信機器は、前記送信機器からの前記第１発信信号及び第２発信信号から前記第１の代替値、前記第２の代替値、前記第１の換算定数及び前記第２の換算定数とを識別する手段と、前記第１の代替値及び前記第２の換算定数とから第１の復号データを演算し前記第２の代替値及び前記第１の換算定数とから第２の復号データを演算する手段と、を備えたことを特徴とするデータ送信システム。
【請求項２】
前記受信機器は、前記第１の復号データと第２の復号データを使用して、該第１の復号データと第２の復号データを認証する手段を備えたことを特徴とする請求項１記載のデータ送信システム。
【請求項３】
前記受信機器は、認証データを記憶した記憶部を備え、該記憶部の認証データを使用して前記第１の復号データと第２の復号データの認証を行う手段を備えたことを特徴とする請求項２記載のデータ送信システム。
【請求項４】
前記受信機器は、前記第１発信信号を受信したとき前記第１の代替値と前記記憶部の認証データを比較して仮認証を行う手段と、前記送信機器へ前記仮認証の結果を送信する手段とを備え、
前記送信機器は、前記仮認証の結果を受信する手段を備えたことを特徴とする請求項３記載のデータ送信システム。
【請求項５】
前記送信機器と受信機器は、インターネットを含む通信回線網に接続されたことを特徴とする請求項１から４のいずれかに記載のデータ送信システム。
【請求項６】
前記送信機器と受信機器は、赤外線通信方式、無線電波方式又は光通信方式によってデータの送受信を行う手段を備えたことを特徴とした請求項１から５のいずれかに記載のデータ送信システム。
【請求項７】
前記第１発信信号又は第２発信信号は第１のデータを含み、
前記受信機器は、外部装置と接続され、前記第１のデータに基づいて前記外部装置を操作する手段を備えたことを特徴とする請求項１から６のいずれかに記載のデータ送信システム。
【請求項８】
前記外部装置は、ドアロックであることを特徴とする請求項７に記載のデータ送信システム。
【請求項９】
前記第１発信信号又は第２発信信号は、第２のデータを含み、
前記送信機器は、判別データを記憶した記憶部を備え、前記第１発信信号又は第２発信信号を発信するときに、前記判別データを使用して前記第２のデータの認証を行う手段と、前記第２のデータが認証されなかった回数を記憶する手段と、前記回数が所定回数に達した場合に前記記憶部に記憶されたデータを消去する手段と、を備えたことを特徴とする請求項１から８のいずれかに記載のデータ送信システム。
【請求項１０】
前記第１発信信号又は第２発信信号の少なくとも一方は、前記認証データを使用して暗号化されたデータと共に、前記受信機器へ伝送されることを特徴とする請求項１から９のいずれかに記載のデータ送信システム。
【請求項１１】
送信機器から受信機器へ認証データを送信する方法であって、
前記送信機器が前記認証データを第１の換算定数、第２の換算定数によってそれぞれ第２の代替値、第１の代替値に換算する第１のステップと、
前記送信機器が、前記第１の代替値及び前記第１の換算定数を含む第１発信信号を前記受信機器へ伝送する第２のステップと、
前記送信機器が、前記第２の代替値及び前記第２の換算定数を含む第２発信信号を、前記第１の発信信号とは送信時刻又は送信経路の少なくとも一方を異ならせて前記受信機器へ伝送する第３のステップと、
前記受信機器が、前記送信機器から受信した前記第１発信信号から前記第１の代替値と前記第１の換算定数を認識する第４のステップと、
前記受信機器が、前記送信機器から受信した前記第２発信信号から前記第２の代替値と前記第２の換算定数を認識する第５のステップと、
前記受信機器が、前記第１の代替値及び前記第２の換算定数から第１の復号データを演算し、前記第２の代替値及び前記第１の換算定数から第２の復号データを演算する第６のステップと、を備えたことを特徴とする方法。
【請求項１２】
前記第６のステップの後に、前記受信機器が、前記第１の復号データと第２の復号データを使用して前記第１の復号データと第２の復号データの認証を行う第７のステップを備えたことを特徴とする請求項１１記載の方法。
【請求項１３】
前記第７のステップの後に、前記受信機器が、該受信機器に備えられた記憶部に記憶された認証データを使用して、前記第１の復号データと第２の復号データの認証を行う第８のステップを備えたことを特徴とする請求項１２記載の方法。
【請求項１４】
前記第２のステップと第３のステップの間に、前記受信機器が第１の代替値と前記記憶部の認証データを比較する仮認証ステップと、該仮認証ステップの後に前記受信機器が前記送信機器へ前記仮認証の結果を送信するステップと、を備えたことを特徴とする請求項１１から１３のいずれかに記載の方法。
【請求項１５】
前記第２のステップにおいて、前記送信機器が、該送信機器に備えられた記憶部に記憶された判別データを使用して、前記第１発信信号に含まれる第２のデータの認証を行い、該第２のデータが認証されなかったときに回数を加算し記憶するステップと、前記回数が所定回数に達したときに前記送信機器に備えられた記憶部に記憶されたデータを消去するステップと、を備えたことを特徴とする請求項１１から１４のいずれかに記載の方法。
【請求項１６】
認証データに関するデータが入力される入力部と、
認証データに関するデータが記憶される記憶部と、
データの送受信を行う送受信部と、
データの入出力を行う入出力部と、
前記認証データを第１の換算定数、第２の換算定数によってそれぞれ第２の代替値、第１の代替値に換算する処理、前記第１の代替値及び前記第１の換算定数を含む第１発信信号と前記第２の代替値及び前記第２の換算定数を含む第２発信信号とを送信時刻又は送信経路の少なくとも一方を異ならせて伝送する処理、を行う制御部と、を備えたことを特徴とする装置。
【請求項１７】
前記制御部は、前記第１発信信号及び第２発信信号を受信する処理、前記第１発信信号及び第２発信信号から前記第１の代替値、前記第２の代替値、前記第１の換算定数及び前記第２の換算定数を認識する処理、前記第１の代替値及び前記第２の換算定数とから第１の復号データを演算し前記第２の代替値及び前記第１の換算定数とから第２の復号データを演算する処理、を行うことを特徴とする請求項１６記載の装置。
【請求項１８】
前記制御部は、前記第１の復号データと第２の復号データを使用して、前記第１の復号データと第２の復号データの認証をする処理を行うことを特徴とする請求項１７記載の装置。
【請求項１９】
前記制御部は、前記記憶部の認証データを使用して前記第１の復号データと第２の復号データの認証をする処理を行うことを特徴とする請求項１７又は１８に記載の装置。
【請求項２０】
前記制御部は、前記第１発信信号を受信したとき前記第１の代替値と前記記憶部の認証データとを比較して仮認証を行う処理と、前記仮認証の結果を送信する処理と、を行うことを特徴とする請求項１７から１９のいずれかに記載の装置。
【請求項２１】
前記送受信部は、インターネットを含む通信回線網に接続されたことを特徴とする請求項１６から２０のいずれかに記載の装置。
【請求項２２】
前記入出力部は、赤外線通信方式、無線電波方式又は光通信方式によってデータの送受信を行う手段を備えたことを特徴とした請求項１６から２１のいずれかに記載の装置。
【請求項２３】
前記認証データに関するデータは、判別データを含み、
前記第１発信信号は、第２のデータを含み、
前記制御部は、前記判別データを使用して前記第２のデータの認証を行い、該第２のデータが認証されなかったときに回数を加算し記憶する処理と、
前記回数が所定回数に達したときに前記記憶部に記憶されたデータを消去する処理と、を行うことを特徴とする請求項１６から２２のいずれかに記載の方法。
【請求項２４】
認証データを第１の換算定数、第２の換算定数によってそれぞれ第２の代替値、第１の代替値に換算する第１の処理と、
前記第１の代替値及び前記第１の換算定数を含む第１発信信号を送信する第２の処理と、
前記第２の代替値及び前記第２の換算定数を含む第２発信信号を、前記第１発信信号とは送信時刻又は送信経路の少なくとも一方を異ならせて伝送する第３の処理と、を送信機器に実行させるためのプログラム。
【請求項２５】
第２の換算定数によって認証データが換算された第１の代替値と第１の換算定数とを含む第１発信信号から、前記第１の代替値及び前記第１の換算定数を認識する第１の処理と、
前記第１の換算定数によって前記認証データが換算された第２の代替値と前記第２の換算定数を含む第２発信信号から、前記第２の代替値及び前記第２の換算定数を認識する第２の処理と、
前記第１の代替値及び前記第２の換算定数から第１の復号データを演算し、前記第２の代替値及び前記第１の換算定数から第２の復号データを演算する第３の処理と、を受信機器に実行させるためのプログラム。
【請求項２６】
前記第３の処理の後に、前記第１の復号データと前記第２の復号データを使用して、前記第１の復号データと前記第２の復号データを認証する第４の処理を受信機器に実行させることを特徴とする請求項２５記載のプログラム。
【請求項２７】
前記第４の処理の後に、前記受信機器の記憶部に記憶された認証データを使用して、前記第１の復号データと前記第２の復号データを認証する処理を受信機器に実行させることを特徴とする請求項２６記載のプログラム。
【請求項２８】
前記第１の処理の後に、前記受信機器の記憶部に記憶された認証データを使用して、前記第１の代替値の仮認証を行う処理と、前記仮認証の結果を送信する処理とを受信機器に実行させることを特徴とする請求項２５から２７のいずれかに記載のプログラム。
【請求項２９】
前記第２の処理の後に、仮認証の結果を受信する処理と、前記第１の代替値が前記仮認証によって認証されている場合に、前記第３の処理を送信機器に実行させることを特徴とする請求項２４記載のプログラム。
【請求項３０】
前記第１の処理の後に、前記送信機器有する判別データを使用して、前記第１発信信号に指定された第２のデータの認証を行い、該第２のデータが認証されなかったときに回数を加算し記憶する処理と、前記回数が所定回数に達したときに前記送信機器が有するデータを消去する処理を送信機器に実行させることを特徴とする請求項２４又は２９に記載のプログラム。
【請求項３１】
ドアフレームに配設され、ストライクによって前記ドアフレームを固定物にロックするドアロックにおいて、
該ドアロックは、前記ストライクと、該ストライクを捕捉するラッチングプラグと、第１の装置と、第２の装置と、を備え、
前記第１の装置は、前記ラッチングプラグを駆動する第１の手段と、外部からの作動信号によって前記第１の手段の作動を制御する第１の制御部と、を備え、
前記第２の装置は、前記ラッチングプラグ及び前記第１の手段を前記ストライクから離脱させる第２の手段と、外部からの作動信号によって前記第２の手段の作動を制御する第２の制御部と、を備えたことを特徴とするドアロック。
【請求項３２】
前記第１の装置又は第２の装置は、ソレノイドアクチュエータ又はマイクロモータであることを特徴とするドアロック。
【請求項３３】
前記第２の装置は、マイクロモータであり、該マイクロモータを正逆回転させるための切換スイッチを備えていることを特徴とする請求項３１又は３２に記載のドアロック。
【請求項３４】
前記第１の装置は、前記第１の手段の位置を検出する第３の手段を備え、
該第３の手段は、前記第２の手段の作動を制御することを特徴とする請求項３１から３３のいずれかに記載のドアロック。
【発明の詳細な説明】
技術分野
本発明は、データ送信する際にデータが漏洩した場合においても、その復号が困難であるデータ送信システム、方法、装置、プログラム及び前記送信システムを用いたドアロックに関する。
背景技術
従来、送信者がデータを暗号鍵による暗号化を行い、暗号鍵と暗号化されたデータを別々の回線によって受信者へ送信することにより、データ送信の秘匿性を高める技術がある（日本特許第３０５２３２２号公報参照）。
しかし、受信者は、暗号鍵と暗号化されたデータの送信者を認証することなくデータを受信するため、本来送信するはずの送信者に成り代わって第３者によって送信されても送信者を認証することができなかった。
また、インターネット等の通信回線上において個人認証を行う認証サービス会社の個人認証サービスもある。しかし、そのような認証サービス会社による個人認証サービスは高価であり、個人が利用するには不向きであった。
さらに、認証技術を実用した構成として、例えば、個人認証を行った後にドアロックを開閉させる等の複数の操作を行わせる多目的機能を有し、且つ携帯に便利なカード等、ユーザーが認証技術を簡便に利用できる機器がなかった。
本発明は、上記課題を解決するためになされたものであり、本来の送信者になりかわって第３者がデータを送信しても、受信者側で送信者の個人認証を行うことにより送信者を特定し、上記成りすまし送信による不都合を防ぐことができるデータ送信システム、方法、装置、プログラム及びデータ送信システムを用いたドアロックを提供することを目的とする。
発明の開示
本発明におけるデータ送信システムは、送信機器から受信機器へデータを送信するデータ送信システムであって、前記送信機器は、認証データを第１の換算定数、第２の換算定数によってそれぞれ第２の代替値、第１の代替値に換算する手段と、前記第１の代替値及び前記第１の換算定数を含む第１発信信号と前記第２の代替値及び前記第２の換算定数を含む第２発信信号とを、送信時刻又は送信経路の少なくとも一方を異ならせて前記受信機器へ伝送する手段と、を備え、前記受信機器は、前記送信機器からの前記第１発信信号及び第２発信信号から前記第１の代替値、前記第２の代替値、前記第１の換算定数及び前記第２の換算定数とを識別する手段と、前記第１の代替値及び前記第２の換算定数とから第１の復号データを演算し前記第２の代替値及び前記第１の換算定数とから第２の復号データを演算する手段と、を備えたことを特徴とする。
上記のように、送信機器は、認証データが換算された代替値を含む２つの発信信号をそれぞれ受信機器へ送信するように構成されており、一方の発信信号が漏洩した場合であっても、その漏洩した発信信号を取得した第３者は、その発信信号から認証データを復号することはできない。このように、本発明のデータ送信システムによれば、厳しく認証が行われるので好適である。
また、前記受信機器は、前記第１の復号データと第２の復号データを使用して、該第１の復号データと第２の復号データを認証する手段を備えたことにより、確実に認証データを認証することができる。
また、前記受信機器は、認証データを記憶した記憶部を備え、該記憶部の認証データを使用して前記第１の復号データと第２の復号データの認証を行う手段を備えたことにより、受信機器側のデータを使用して、認証データの確認を行うことができるので好適である。
また、前記受信機器は、前記第１発信信号を受信したとき前記第１の代替値と前記記憶部の認証データを比較して仮認証を行う手段と、前記送信機無へ前記仮認証の結果を送信する手段とを備え、前記送信機器は、前記仮認証の結果を受信する手段を備えたことにより、受信機器は、第２発信信号を受信する前に、第１発信信号が正しい送信者から送信されたことを判別することができる。
また、前記送信機器と受信機器は、インターネットを含む通信回線網に接続されれば好適である。また、前記送信機器と受信機器は、赤外線通信方式、無線電波方式又は光通信方式によってデータの送受信を行う手段を備えれば好適である。
また、前記受信機器は、外部装置と接続され、前記第１発信信号又は第２発信信号に含まれる操作データに基づいて前記外部装置を操作する手段を備えた構成とすることにより、受信機器側の操作を、認証されたユーザーによって遠隔地から行うことができるので好適である。さらに、前記外部装置は、例えばドアロックであり、この場合、認証された者のみによってドアが解錠等されるので、高い安全性を得ることができ好適である。
また、前記第１発信信号又は第２発信信号は、第２のデータを含み、前記送信機器は、判別データを記憶した記憶部を備え、前記第１発信信号又は第２発信信号を発信するときに、前記判別データを使用して前記第２のデータの認証を行う手段と、前記第２のデータが認証されなかった回数を記憶する手段と、前記回数が所定回数に達した場合に前記記憶部に記憶されたデータを消去する手段と、を備えたことにより、送信機器から不正にデータが送信されるような場合であっても、第２のデータと判別データによって送信者の認証を行うことができるので好適である。
また、前記第１発信信号又は第２発信信号の少なくとも一方は、前記認証データを使用して暗号化されたデータと共に、前記受信機器へ伝送されることにより、暗号化されたデータは、認証データを使用して復号されると共に、安全に送信される。
本発明の方法は、送信機器から受信機器へ認証データを送信する方法であって、前記送信機器が前記認証データを第１の換算定数、第２の換算定数によってそれぞれ第２の代替値、第１の代替値に換算する第１のステップと、前記送信機器が、前記第１の代替値及び前記第１の換算定数を含む第１発信信号を前記受信機器へ伝送する第２のステップと、前記送信機器が、前記第２の代替値及び前記第２の換算定数を含む第２発信信号を、前記第１の発信信号とは送信時刻又は送信経路の少なくとも一方を異ならせて前記受信機器へ伝送する第３のステップと、前記受信機器が、前記送信機器から受信した前記第１発信信号から前記第１の代替値と前記第１の換算定数を認識する第４のステップと、前記受信機器が、前記送信機器から受信した前記第２発信信号から前記第２の代替値と前記第２の換算定数を認識する第５のステップと、前記受信機器が、前記第１の代替値及び前記第２の換算定数から第１の復号データを演算し、前記第２の代替値及び前記第１の換算定数から第２の復号データを演算する第６のステップと、を備えたことを特徴とする。
さらに、前記第６のステップの後に、前記受信機器が、前記第１の復号データと前記第２の復号データを使用して前記第１の復号データと第２の復号データの認証を行う第７のステップを備えたことを特徴とする。
さらに、前記第７のステップの後に、前記受信機器が、該受信機器に備えられた記憶部に記憶された認証データを使用して、前記第１の復号データと第２の復号データの認証を行う第８のステップを備えたことを特徴とする。
また、前記第２のステップと第３のステップの間に、前記受信機器が第１の代替値と前記記憶部の認証データを比較する仮認証ステップと、該仮認証ステップの後に前記受信機器が前記送信機器へ前記仮認証の結果を送信するステップと、を備えたことを特徴とする。
また、前記第２のステップにおいて、前記送信機器が、該送信機器に備えられた記憶部に記憶された判別データを使用して、前記第１発信信号に含まれる第２のデータの認証を行い、該第２のデータが認証されなかったときに回数を加算し記憶するステップと、前記回数が所定回数に達したときに前記送信機器に備えられた記憶部に記憶されたデータを消去するステップと、を備えたことを特徴とする。
また、本発明の装置は、認証データに関するデータが入力される入力部と、認証データに関するデータが記憶される記憶部と、データの送受信を行う送受信部と、データの入出力を行う入出力部と、前記認証データを第１の換算定数、第２の換算定数によってそれぞれ第２の代替値、第１の代替値に換算する処理、前記第１の代替値及び前記第１の換算定数を含む第１発信信号と前記第２の代替値及び前記第２の換算定数を含む第２発信信号とを送信時刻又は送信経路の少なくとも一方を異ならせて伝送する処理、を行う制御部と、を備えたことを特徴とする。
また、前記制御部は、前記第１発信信号及び第２発信信号を受信する処理、前記第１発信信号及び第２発信信号から前記第１の代替値、前記第２の代替値、前記第１の換算定数及び前記第２の換算定数を認識する処理、前記第１の代替値及び前記第２の換算定数とから第１の復号データを演算し前記第２の代替値及び前記第１の換算定数とから第２の復号データを演算する処理、を行うことを特徴とする。
また、前記制御部は、前記第１の復号データと第２の復号データを使用して、前記第１の復号データと第２の復号データの認証をする処理を行うことを特徴とする。
また、前記制御部は、前記記憶部の認証データを使用して前記第１の復号データと第２の復号データの認証をする処理を行うことを特徴とする。
また、前記制御部は、前記第１発信信号を受信したとき前記第１の代替値と前記記憶部の認証データとを比較して仮認証を行う処理と、前記仮認証の結果を送信する処理と、を行うことを特徴とする。
また、前記送受信部は、インターネットを含む通信回線網に接続されたことを特徴とする。また、前記入出力部は、赤外線通信方式、無線電波方式又は光通信方式によってデータの送受信を行う手段を備えたことを特徴とする。
また、前記認証データに関するデータは、判別データを含み、前記第１発信信号は、第２のデータを含み、前記制御部は、前記判別データを使用して前記第２のデータの認証を行い、該第２のデータが認証されなかったときに回数を加算し記憶する処理と、前記回数が所定回数に達したときに前記記憶部に記憶されたデータを消去する処理と、を行うことを特徴とする。
また、本発明のプログラムは、認証データを第１の換算定数、第２の換算定数によってそれぞれ第２の代替値、第１の代替値に換算する第１の処理と、前記第１の代替値及び前記第１の換算定数を含む第１発信信号を送信する第２の処理と、前記第２の代替値及び前記第２の換算定数を含む第２発信信号を、前記第１発信信号とは送信時刻又は送信経路の少なくとも一方を異ならせて伝送する第３の処理と、を送信機器に実行させるためのものである。
また、本発明のプログラムは、第２の換算定数によって認証データが換算された第１の代替値と第１の換算定数とを含む第１発信信号から、前記第１の代替値及び前記第１の換算定数を認識する第１の処理と、前記第１の換算定数によって前記認証データが換算された第２の代替値と前記第２の換算定数を含む第２発信信号から、前記第２の代替値及び前記第２の換算定数を認識する第２の処理と、前記第１の代替値及び前記第２の換算定数から第１の復号データを演算し、前記第２の代替値及び前記第１の換算定数から第２の復号データを演算する第３の処理と、を受信機器に実行させるためのものである。
なお、前記第３の処理の後に、前記第１の復号データと前記第２の復号データを使用して、前記第１の復号データと前記第２の復号データを認証する第４の処理を受信機器に実行させるようにしてもよい。
また、前記第４の処理の後に、前記受信機器の記憶部に記憶された認証データを使用して、前記第１の復号データと前記第２の復号データを認証する処理を受信機器に実行させるようにしてもよい。
また、前記第１の処理の後に、前記受信機器の記憶部に記憶された認証データを使用して、前記第１の代替値の仮認証を行う処理と、前記仮認証の結果を送信する処理とを受信機器に実行させるようにしてもよい。
また、前記第２の処理の後に、仮認証の結果を受信する処理と、前記第１の代替値が前記仮認証によって認証されている場合に、前記第３の処理を送信機器に実行させるようにしてもよい。
また、本発明のドアロックは、ドアフレームに配設され、ストライクによって前記ドアフレームを固定物にロックするドアロックにおいて、該ドアロックは、前記ストライクと、該ストライクを捕捉するラッチングプラグと、第１の装置と、第２の装置と、を備え、前記第１の装置は、前記ラッチングプラグを駆動する第１の手段と、外部からの作動信号によって前記第１の手段の作動を制御する第１の制御部と、を備え、前記第２の装置は、前記ラッチングプラグ及び前記第１の手段を前記ストライクから離脱させる第２の手段と、外部からの作動信号によって前記第２の手段の作動を制御する第２の制御部と、を備えたことを特徴とする。
上記のように、第１の装置が不具合により不作動となったときでも、第２の装置を作動させることにより、ドアロックを解除することができるので好適である。
また、前記第１の装置又は第２の装置は、ソレノイドアクチュエータ又はマイクロモータであることにより、容易にドアロックを構成することができる。
また、前記第２の装置は、マイクロモータであり、該マイクロモータを正逆回転させるための切換スイッチを備えていることにより、第１の装置の不具合が解消した場合に、ラッチングプラグ及び第１の手段を正規の位置に戻すことができるので好適である。
また、前記第１の装置は、前記第１の手段の位置を検出する第３の手段を備え、該第３の手段は、前記第２の手段の作動を制御することにより、ラッチングプラグ及び第１の手段を所定の位置に停止させることができるので好適である。
発明を実施するための最良の形態
以下、本発明の実施例を図面に基づいて説明する。なお、以下に説明する配置、構成等は本発明を限定するものでなく、本発明の趣旨の範囲内で種々改変することができるものである。
図１に基づき本発明のデータ送信システムに関する第１のデータ送信方法について説明する。第１のデータ送信方法は、例えば、認証データ（暗証番号）等のデータ量の小さいデータを送信するのに適した方法である。
送信者から受信者へは、同一の認証データをそれぞれ含んだ第１発信信号と第２発信信号が送信される。第１発信信号と第２発信信号は、図１に示すようにパケット番号１から９９９９のパケットから構成される。これらのパケットは、それぞれ同じ桁数のデータを有し、図１の場合においては６桁のデータである。
パケット番号１のパケットは、同期信号（ＳＹ）であり、この同期信号は、発信信号の始まりをあらわす。パケット番号２のパケットは、通信番号であり、発信信号ごとに番号付けされるものである。認証データは、パケット番号３から９９９８のパケットのうち、送信者によって選択された任意のパケット番号のパケットに収められる。この場合は、パケット番号１２３１が選択されている。
パケット番号９９９９のパケットは、制御データを有し、この制御データは発信信号の終わりをあらわすと共に、受信者側に各種の操作を指示することに使用される。操作としては、例えば、カギの開閉、制御スイッチのＯＮ／ＯＦＦ、データ送信利用度数表示等があり、これらの操作に上記操作データを利用することが可能である。
パケット番号１、２、１２３１、９９９９以外のパケットには、スクランブル信号（ＳＣ）が配置される。スクランブル信号は、乱数によって決定される任意番号データであり、第１及び第２発信信号の同パケット番号のスクランブル信号は、等しくならないように割り当てられる。
通信番号、認証データ及び認証データが格納されるパケット番号、制御データは、送信者によって設定される。そして、所定パケット番号のパケットにはこれらの設定されたデータが配置され、これら以外のパケットにはスクランブル信号が配置されることにより、第１発信信号と第２発信信号が生成される。
第１発信信号と第２発信信号は、送信者からパケットスイッチング伝送方式により送信され、受信者に受信されると、それぞれのパケット番号ごとにデータが比較される。その結果、この場合はパケット番号２、１２３１及び９９９９のデータが、互いに一致することが判別される。そして、認証データは、受信者によってパケット番号１２３１のデータから抽出される。
なお、パケットのデータ桁数、パケット数は、任意に変更可能である。また、通信番号と制御データのパケットの位置は、逆であってもよい。さらに、認証データを複数のパケットに分割して送信してもよい。この場合は、第１及び第２発信信号が受信者によって比較されたとき、パケット番号２、９９９９以外に複数のパケット番号でデータが一致することになる。これら一致したデータは、合成されることにより元の認証データに復号される。
上記のように第１のデータ送信方法では、第１発信信号と第２発信信号の両方が受信され、比較されることにより、認証データが特定されるので、どちらか一方の発信信号が漏洩したとしても、有意なデータとして復号されることがない。
次に、図２に基づき第２のデータ送信方法について説明する。第２のデータ送信方法は、送信データとして例えば、機密書類、音楽、映像等のようにデータ量の大きなデータを送信する場合において適した方法である。第１のデータ送信方法と同様に、送信者から受信者へ、第１発信信号と第２発信信号が送信される。ただし、上記データは、容量が大きいため複数のパケットに分割される。そして、パケット数は、データの大きさに依存する。
図２に示すように、第１及び第２発信信号のパケット番号１のパケットには、同期信号が配置され、パケット番号２のパケットには、通信番号が配置され、最終パケット番号Ｎのパケットには、制御データが配置される。パケット番号３から（Ｎ−１）のパケットは、パケットごとに分割されたデータ（Ｄ）とスクランブル信号が配置され、データボディ部を構成する。
ここで、分割データは、パケット番号順に第１又は第２発信信号のどちらか一方のパケットに配置され、分割データが配置されない他方の同パケット番号のパケットには、スクランブル信号が配置される。
このように生成された第１及び第２発信信号は、送信者から受信者へそれぞれ送信され、それぞれのデータボディ部から選別信号に従い、必要な分割データのみが選別される。選別された分割データは、合成され元のデータへ復号される。
分割データの選別は、送信者と受信者の間で予め選別信号を取り決めておいて行われるようにしてもよいし、データの種類によっては受信者自らによって送信されたデータの中から分割データを選択することができる場合もある。
以上のように第２のデータ送信方法では、データが第１及び第２発信信号に分割されて送信されるので、第３者は、どちらか一方の発信信号を得たとしても有意なデータを得ることはできない。
上記第１及び第２のデータ送信方法において、第１及び第２発信信号が盗聴されたり、漏洩したりした場合に、これらから有意なデータの取り出しを困難にするために、どちらか一方又は両方の通信番号又は認証データ等を予め設定された換算定数によって変換してもよい。
例えば、第２のデータ送信方法において、換算定数が「３４５６」に予め設定されている場合、第２発信信号の通信番号である「１９３８０１」に換算定数が加算され、第２発信信号は、代替通信番号「１９７２５７」を通信番号として送信される。受信者は、第２発信信号の代替通信番号から換算定数を減算することにより、真の通信番号「１９３８０１」を得ることができる。そして、このように換算を経て得られた通信番号から、第１及び第２発信信号を一対の発信信号として組合せることが可能となる。
受信者は、受信した第１発信信号と、第２発信信号とを、選別信号に従って選別合成することにより、所定のデータを得ることができる。上記のように、一方の発信信号の通信番号を所定の換算定数によって、換算して送信する方法は、第１のデータ発信方法にも適用することも可能である。
また、第１のデータ送信方法において、認証データが換算定数を加算されて送信される方法としてもよい。第１及び第２発信信号が比較されたときに、換算定数の数値分だけ異なるデータを有するパケット番号のパケットが抽出されることにより、認証データを判別することができる。
次に、図３に基づき、第３のデータ送信方法について説明する。第３のデータ送信方法は、送信データとして、上記小容量データ及び大容量データ双方の送信に適した方法である。なお、第３のデータ送信方法においても、上記第１及び第２のデータ送信方法と同様に、第１及び第２発信信号に通信番号、制御データ、認証データのパケットが配置されるが、理解の容易のため図中では省略されている。
第１発信信号は、換算定数Ｘ０と暗証番号データＣ０の代替値Ｃ１０を含む。第２発信信号は、換算定数Ｙ０と暗証番号データＣ０の代替値Ｃ２０を含む。ここで代替値Ｃ１０、Ｃ２０は、それぞれ換算定数Ｙ０、Ｘ０によって、換算されたものである。
図３の場合、例えば代替値Ｃ１０は、暗証番号データＣ０に換算定数Ｙ０が加算されたものであり、代替値Ｃ２０は、暗証番号データＣ０に換算定数Ｘ０が加算されたものである。なお、変換方法としては、認証データに換算定数を加算する以外に、減算する方法でもよく、その他の方法であってもよい。
図３の場合、パケットのデータは１２桁である。具体的数値例として、換算定数Ｘ０、Ｙ０を６桁の数とし、それぞれ「２２４４５５」、「３３５５６６」とする。認証データである暗証番号データＣ０は、「１２３４２３４５６７８９」とする。従って、第１発信信号は、代替値Ｃ１０として、暗証番号データＣ０「１２３４２３４５６７８９」に換算定数Ｙ０「３３５５６６」を加算した「１２３４２３７９２３５５」を有し、第２発信信号は、代替値Ｃ２０として、暗証番号データＣ０「１２３４２３４５６７８９」に換算定数Ｘ０「２２４４５５」を加算した「１２３４２３６８１２４４」を有する。
第１及び第２発信信号は、受信者によって受信され、それぞれ換算定数Ｘ０と代替値Ｃ１０、換算定数Ｙ０と代替値Ｃ２０が判別される。そして、代替値Ｃ１０から換算定数Ｙ０が減算されることにより、暗証番号データＣ０が算出される。また、別に代替値Ｃ２０から換算定数Ｘ０が減算されることにより、暗証番号データＣ０が算出される。そして、それぞれ算出された暗証番号データＣ０が比較され、一致すれば暗証番号データＣ０として採用される。
以上のように第３のデータ送信方法では、暗証番号データＣ０は２つの換算定数Ｙ０、Ｘ０によってそれぞれ代替値Ｃ１０、Ｃ２０に換算され、それぞれの代替値が第１及び第２発信信号によって送信されるので、第３者が、どちらか一方の発信信号を得たとしても有意なデータを得ることはできない。
さらに、前記暗証番号データを暗号鍵として暗号化された、データ量の大きなデータが、第１又は第２発信信号と共に送信され、受信側にて暗証番号データによって復号化されるようにしてもよい。その際、第１又は第２発信信号が、前記暗号化されたデータの送信ヘッダーとして送信されてもよい。
上記のように第１乃至第３のデータ送信方法では、認証データ又はその代替値は第１及び第２発信信号によって受信者へ送信され、受信者側で第１及び第２発信信号が比較、選別合成等されることにより認証データとして復号される。
次に、データの送信手法は、以下のような手法が利用可能である。図４では、まず送信者は、例えば、インターネット、電話回線、専用線、ＩＳＤＮ回線及び無線等を含む通信回線を介して、受信者へ第１及び第２発信信号を発信する。
これらは、時間をずらして送信されるか、別経路によって送信される。または、時間をずらして、さらに別経路で送信されてもよい。受信者は、この別々に受信した一対の発信信号を比較、合成等して認証データ、所定のデータを復号する。このとき、第１又は第２発信信号は、換算定数によって換算されたものであってもよい。
図５に示す構成では、第１発信信号は、通信回線を介して直接、受信者へ送信され、第２発信信号は、登録管理者を介して、受信者へ送信される。この場合、第２発信信号について、換算定数によって換算されたものであるときは、登録管理者によって逆換算されて元に戻されてから、受信者へ転送されるようにしてもよい。また、単に受信者へ転送するだけでもよい。この場合も、両信号は時間をずらして送信されれば好適である。
図６は、上記第１のデータ送信方法を利用して、送信者からの発信信号に基づき、送信者の認証が行われ、その結果のみが受信者へ送信される場合におけるデータの流れを示すものである。この場合は、認証機関（例えば、法務局のような行政機関等）が送信者の認証を行う。第１発信信号は、通信回線を介して認証機関へ直接、送信される。また、換算定数によって換算された第２発信信号は、登録管理者によって逆換算されて元に戻されてから、認証機関へ転送される。
認証機関では、第１及び第２発信信号から認証データを得る。この認証データを元に、送信者の照合が行われ、認証又は非認証であるかが判別される。この判別結果は、登録管理者へ送信され、登録管理者から受信者へ転送される。したがって、受信者には、認証データについては知らされず、認証の結果のみが知らされる。これにより、例えば、契約や売買が行われたとき、通信回線上で印鑑証明等の代わりとなる個人認証を行うことができる。なお、上記構成において第２発信信号についても、認証機関に直接送信し、認証機関から認証結果を受信者に送信するようにしてもよい。
図４乃至図６において、第１及び第２発信信号は、通信回線を介して送信されることに限らず、記憶メディアに記憶され、受信者や登録管理者へ配送されてもよい。
以下に、本発明の第３のデータ送信方法をデータ送信システムＳに適用した例を示す。図７に示すように、データ送信システムＳは、認証カードＡ、送受信装置Ｂ及び外部装置Ｃによって構成される。ユーザーは認証カードＡ及び送受信装置Ｂを使用して、データの送受信を行うことができる。
ユーザーは、認証カードＡを使用して、送受信装置Ｂへ個人認証データ等を送信することができる。個人認証データ等が送受信装置Ｂに判別され認証されると、送受信装置Ｂは外部装置Ｃへ操作信号を送信し、例えばドアの解錠等の操作を行わせる。
認証カードＡは、図８に示すように、制御部として機能するＩＣチップであるＣＰＵ１０１と、操作パネルである入力部１０２と、データ送受信伝送回路である入出力部１０３と、ＬＥＤによる表示部１０４と、発振素子１０５と、記憶部１０６とから構成される。認証カードＡは、個人携帯用電子カードとして実現される。
ＣＰＵ１０１は、データの入出力及びデータ送受信等の制御を行う。入力部１０２は、テンキーと、例えば「ＯＰＮ」（開）ボタンや「ＣＬＳ」（閉）ボタンのように、ある機能に特化されたボタンと、不図示のアルファベットキー等を有する。
入出力部１０３は、送受信装置Ｂとデータ送受信を行う受光センサー素子１０３ａと、信号発信素子１０３ｂを有する。表示部１０４は、ＣＰＵ１０１の出力に従い、ＬＥＤによる表示を行う。記憶部１０６は、ＣＰＵ１０１のプログラム及び暗証番号等のデータが格納されており、また作業領域として機能するように構成されている。
送受信装置Ｂは、図９に示すように、制御部であるＣＰＵ２０１と、操作パネル及び設定パネルを有する入力部２０２と、入出力部２０３と、ＬＣＤ表示器である表示部２０４と、発振素子２０５と、記憶部２０６と、電池電圧検出器２０７と、外部装置Ｃとのインターフェース２０８と、電源部２０９とから構成される。
ＣＰＵ２０１は、データの入出力制御、データ送受信制御、データの暗号化及び復号化、外部装置Ｃの制御等を行う。入力部２０２は、各種入力ボタンから構成され、テンキー、不図示のアルファベットキー、特定の機能に特化したボタン（例えば、電源ＯＮ／ＯＦＦスイッチ、ドア開閉ボタン等）等を有する。入出力部２０３は、認証カードＡとのデータ送受信を行う送受信ヘッドである入出力部２０３ａと、記憶メディア等とデータの入出力を行う入出力部２０３ｂを有する。入出力部２０３ｂは、例えば、フレキシブルディスク等の各種記憶メディアとのデータ入出力や、バーコードの読取り等を行う。
表示部２０４は、ＣＰＵ２０１の出力に従い、外部からの入力データや、操作時の入力データ等の表示を行う。記憶部２０６は、暗証番号データや、ＣＰＵ２０１のプログラム、及び各種アプリケーションプログラム等が記憶されており、またプログラムの作業領域として機能するように構成されている。この送受信装置Ｂは、通常のデスクトップ型のパソコンや、モバイル端末を使用した構成としてもよい。
認証カードＡと送受信装置Ｂの間のデータ送受信方式は、周知技術である赤外線方式、無線電波方式、光通信方式等が適用可能である。また、認証カードＡ及び送受信装置Ｂは、パケットスイッチング伝送方式にてデータ送受信を行う。
外部装置Ｃは、ドアロックＤ、外部通信回線とのデータ送受信を行うモデム２１０、警報機、入力信号としてのドアスイッチ等がある。送受信装置Ｂは、モデム２１０を通してインターネットを含む通信回線に接続されており、通信回線を介してデータを送受信することができる。
次に図１０に基づき、ドアロックＤの構成について説明する。図１０に示すように、ドアロックＤは、ドアフレーム６７内側に配設され、ハウジング２０と、ストライク６２と、ハンドル６６等から構成される。ハウジング２０内には、マイクロモータ７０と、アクチュエータ３０とが収容されている。
マイクロモータ７０は、回転シャフト７１と、回転シャフト７１が挿着されたロータ７３と、ステータコイル７４とを備え、これらはハウジング２０内に固定されたモータケース７５内に収容されている。回転シャフト７１の先端部には、ウォームギヤ７２が一体に挿着されている。
アクチュエータ３０は、ハウジング２０内に固定された円筒形状のスライダベース３９と、ウォームギヤ部３７が上部に固定されたスライダ３８と、ソレノイドアクチュエータ３１とを備える。ウォームギヤ７２は、ウォームギヤ部３７と係合し、回転シャフト７１の正逆回転に伴い、ウォームギヤ部３７及びスライダ３８を上下移動させる。スライダ３８は、スライダベース３９の内側に摺接して上下移動するようになっている。
スライダベース３９の上下端部には位置検出スイッチ５０ａ、５０ｂが配設されており、スライダ３８がスライダベース３９内を移動して、位置検出スイッチ５０ａ又は５０ｂに当接すると、マイクロモータ７０の回動が停止されるように構成されている。
ソレノイドアクチュエータ３１は、励磁コイル２１と、プランジャー３５と、プランジャー３５下端部に同軸上に固定されたラッチングプラグ６０とを備える。
励磁コイル２１とラッチングプラグ６０の間のプランジャー３５には、コイルバネ３７が挿入されており、コイルバネ３７は、ラッチングプラグ６０を下側に付勢している。ラッチングプラグ６０は、励磁コイル２１が励磁信号によって励磁されることにより、上側へ移動するように構成されている。
ストライク６２は、スライドギヤ歯６５を介してハンドル６６と係合している。ドアがロックされている状態では、ストライク６２の先端部はフレーム６８のストライク用キー溝６９に嵌まり込み、ラッチングプラグ６０はストライク６２のキー溝６３に嵌まり込んでいる。そのため、ハンドル６６は、回転させることができない。
アクチュエータ３０に励磁信号が入信すると、ラッチングプラグ６０は、上へ引き上げられキー溝６３から外れる。このとき、ハンドル６６が図１０において反時計方向に回転されると、ストライク６２は左側へ移動し、ストライク６２の先端部がストライク用キー溝６９から外れるので、ドアは開けることが可能となる。
ハンドル６６が所定角度回転されると、ストライク６２は左へ移動し、位置固定溝６４がラッチングプラグ６０の略真下に位置する。その状態で、ソレノイドアクチュエータ３１への励磁信号がなくなると、コイルバネ３７に付勢されているラッチングプラグ６０は下側へ移動する。そして、先端部が位置固定溝６４に嵌まり込み、ストライク６２は、ストライク用キー溝６９から外れた状態に維持される。
位置固定溝６４は、緩やかな傾斜部を有する凹部であるため、ハンドル６６が時計方向に回転されると、ラッチングプラグ６０は位置固定溝６４から容易に外れ、ストライク６２は右側へ移動し、再びストライク用キー溝６９に挿入される。
なお、ストライク６２は、緩やかな傾斜部を有した位置固定溝６４を備える代わりに、キー溝６３のように一旦ラッチングプラグ６０が嵌まり込むと、ラッチングプラグ６０を上側へ移動させない限り、ストライク６２が移動不能となる位置固定溝６４を備えた構成であってもよい。この場合は、ドアを閉めるときに、再度ソレノイドアクチュエータ３１へ励磁信号が送信される必要がある。
ソレノイドアクチュエータ３１は、外部からの励磁信号によって作動し、ラッチングプラグ６０を引き上げるが、不具合によりラッチングプラグ６０が正常に引き上げられない場合がある。不具合とは、ソレノイドアクチュエータ３１内部の励磁コイル２１が断線したり、プランジャー３５が引っかかって移動不能になったりすることである。
そのような場合、マイクロモータ７０を作動させると、スライダ３８と共にラッチングプラグ６０が引き上げられ、ラッチングプラグ６０はキー溝６３から外れる。したがって、アクチュエータ３０が不作動でも、ドアロックＤを壊すことなく、直ぐに解錠することができるので好適である。
次に、図１１に基づき、ドアロックＤの動作の概略について説明する。送受信装置Ｂは、ドアロックＤを解錠させるための発信信号を受信すると、ドアロックＤへのアクチュエータ３０を作動させるための励磁信号を送信する。この励磁信号は、端子１１、１２間へ入信する。ここで、端子１１はグランド端子である。
この励磁信号が入信している間、トランジスタ２２は作動し、端子１３に印加されている直流電圧によって、励磁コイル２１へ励磁電流が流れる。これにより、プランジャー３５及びラッチングプラグ６０が引き上げられる。
このとき、上述のように励磁コイル２１等に不具合がある場合、プランジャー３５及びラッチングプラグ６０は引き上げられず、ドアはロックされた状態に保たれる。この場合、ユーザーは、ドアロックＤを解錠させるための別の発信信号を送受信装置Ｂへ送信する。送受信装置Ｂは、前記別の発信信号を受信すると、ドアロックＤへパルス信号を送信し、このパルス信号は、端子２４、２５間へ入信する。
このパルス信号が入信している間に、ユーザーがドアロックＤの側部に設けられている操作ボタン１ａ、１ｂを押下すると、トランジスタ２３が作動し、マイクロモータ７０が正回転する。マイクロモータ７０が正回転すると、スライダ３８が引き上げられると共に、ラッチングプラグ６０も引き上げられ、ストライク６２は移動可能となる。
ユーザーが、操作ボタン１ａ、１ｂを共に押下し続けると、スライダ３８が位置検出スイッチ５０ａに当接することにより、位置検出スイッチ５０ａの箇所で回線が開放され、マイクロモータ７０の作動は停止する。スライダ３８が、スライダベース３９内の下端部からわずかに引き上げられたとき、位置検出スイッチ５０ｂの箇所で回路が閉じる。
引き上げられたスライダ３８を元の位置に戻すには、ユーザーは再度、発信信号を送信し、操作ボタン２ａ、２ｂを共に押下する。これにより、マイクロモータ７０は逆回転し、スライダ３８は、下方向へ移動し、位置検出スイッチ５０ｂと当接して停止する。
上記実施例では、ユーザーが操作ボタン１ａ、１ｂを押下することにより、マイクロモータ７０を作動させていたが、上記別の発信信号によって直接作動させるようにしてもよい。また、さらに別の発信信号によって、操作ボタン１ａ、１ｂ又は２ａ、２ｂを操作させるように構成してもよい。
また、上記実施例では、アクチュエータ３０がラッチングプラグ６０を駆動させていたが、アクチュエータ３０の代わりに、マイクロモータによってラッチングプラグ６０を駆動させるようにしてもよい。この場合は、ラッチングプラグ６０と前記マイクロモータに、例えば図１０のようなウォームギヤを使用することにより、ラッチングプラグ６０を進退出させることができる
そして、前記マイクロモータには、ドアロックＤを解錠又は施錠させるために、それぞれ解錠信号又は施錠信号を入信させ、前記マイクロモータを正逆回転させるようにすればよい。さらに、スライダ３８内にラッチングプラグ６０の位置を検出する位置検出スイッチが備えられ、ラッチングプラグ６０が所定の位置に移動したときに、解錠信号及び施錠信号が前記マイクロモータに入信しないようにすれば好適である。また、解錠信号と施錠信号を分けずに、同一信号で前記マイクロモータを正逆回転させるために、電気的回路の切換スイッチを設けてもよい。
さらに、上記実施例では、マイクロモータ７０がスライダ３８と共にラッチングプラグ６０を引き上げていたが、代わりにソレノイドアクチュエータがそれらを引き上げるように構成することも可能である。
この場合、例えば前記ソレノイドアクチュエータは、励磁信号が入信したときにプランジャーを図１０における上方向に駆動するようにし、プランジャーをスライダ３８に結合させる構成とすればよい。さらに、スライダ３８は、常にコイルバネによって下向きに付勢させれば好適である。
次に、図１２に基づき、認証カードＡと送受信装置Ｂ間、及び送受信装置Ｂ同士の送受信データ形式について説明する。送受信装置Ｂは、パケット番号０から９９で番号付けられるパケットのデータ領域及びその他のデータ送受信用領域を有し、このうちパケット番号１から９のパケットは送受信用の作業領域として使用され、それ以外はデータ記憶用領域として使用される。一方、認証カードＡは、パケット番号０から９で番号付けられるパケットのデータ領域及びその他のデータ送受信用領域を有する。
認証カードＡ及び送受信装置Ｂは、パケット番号１から９のパケットデータによって構成される送信データを他の送受信装置Ｂへパケット送信する。それぞれのパケットは、９桁のデータを格納している。
さらに、他の送受信装置Ｂへ前記送信データを送信ヘッダーとして、音楽、映像等のような大容量データを送信することができる。その際、前記大容量データは、前記送信データによって送信される暗証番号を暗号鍵として暗号化される。
パケット番号０のパケットは、送受信装置パスワード（ＰＳＷ）用であり、各送受信装置Ｂに割り当てられたシリアル登録番号が格納されている。この番号は、送受信装置Ｂの設定変更時のパスワード照合に使用される。
パケット番号１から９のパケットは、認証カードＡ及び送受信装置Ｂとのデータ送受信に使用される。認証カードＡ及び送受信装置Ｂは、パケット番号１から９のパケットの組合せを発信信号としている。パケット番号１のパケットは、発信信号の通信番号（ＴＮｏ）用である。送受信装置Ｂは、外部からの発信信号を受信すると、通信番号を読取り表示部２０４に表示する。さらに、通信番号は、送受信装置Ｂにおいて認証カードＡ又は送受信装置Ｂからの第１及び第２発信信号を認識し、正しく第１及び第２発信信号を組合せるために使用される。
この通信番号は、認証カードＡから発信信号が送信される場合は、固定の番号でもよいし、送信ごとに変更される番号であってもよいが、送受信装置Ｂから送信される場合は、その送受信装置Ｂの電話番号が指定される。
パケット番号２のパケットは、操作番号（ＯＰ）用である。先頭桁番号は、操作対象となるパケット番号の組合せを指定する。図１２のように先頭桁番号が「０」である場合は、パケット番号３、５、７の組合せが指定され、「１」である場合は、パケット番号４、６、８の組合せが指定される。例えば、先頭桁番号「０」を自宅に、「１」を会社といったように設定される。本例では、発信信号が９パケットより構成されるため、先頭桁番号は２通りしか選択できないが、Ｎ通りの選択が可能となるように、発信信号を（３＋３Ｎ）個のパケットで構成されるようにしてもよい。
また、操作番号（ＯＰ）の先頭桁以外の桁の数字も、随時変更可能な番号であり、データを受信した送受信装置Ｂに各種の操作を実行させることができる。例えば図１２に示すように、操作番号（ＯＰ）の８桁の数字を、先頭の桁から各桁をａからｈで区別した場合、ａ、ｂ、ｃ、ｄ桁数字の組合せにより、操作を指定することができる。
さらに、ｅ、ｆ、ｇ、ｈ桁数字は、特定の操作に特化されており、例えば１桁目のｈはドアの鍵の開閉操作を指定したり、２桁目のｇは受信した発信信号の読込みや書込み操作を指定したりすることができる。詳しくは、ｇが０であるときは、暗証番号記録ホルダー（Ｄ）であるパケット番号３０から９９の指定されたパケットデータの読込み、ｇが１又は２であるときは、暗証番号一時記録ホルダー（Ｄｔ）であるパケット番号２０から２９の指定されたパケットデータの読込み又は書込みが指定される。ただし、ｅ、ｆ、ｇ、ｈによる特定の操作は、ａ、ｂ、ｃ、ｄの組合せにより不実施とさせることもできる。
パケット番号３、４のパケットは、換算定数用である。換算定数は４桁の数字である。操作番号（ＯＰ）の先頭桁番号に「０」が指定されて、第１及び第２発信信号が送信されるとき、パケット番号３のパケットには、それぞれ換算定数Ｘ０、Ｙ０のみがデータとして含まれる。このとき、パケット番号４のパケットには、データが含まれないが、ランダムな数字としてもよい。
また、操作番号（ＯＰ）の先頭桁番号に「１」が指定された場合は、パケット番号４のパケットに、換算定数Ｘ１又はＹ１のみがデータとして含まれる。このとき、パケット番号３のパケットには、データが含まれないが、ランダムな数字としてもよい。
パケット番号５、６のパケットは、暗証番号記録場所指定用である。図１２の場合、パケット番号５のパケットのデータは「００００００３０」であり、パケット番号３０が指定されている。このパケット番号は、２０から２９若しくは３０から９９の中から選択される。
パケット番号７、８のパケットは、暗証番号用である。図１２の場合、パケット番号５のパケットで指定されたパケット番号３０の暗証番号「１２３４５６７８」が、パケット番号７のパケットに格納されている。パケット番号９は、制御データ用である。
パケット番号１０から１９は、信号設定ホルダー（Ｓ）であり、送受信装置Ｂの出入力各種条件設定に使用される。例えば、カレンダー設定、各種出入力時間巾設定、電話接続先設定に使用される。
パケット番号２０から２９は、暗証番号一時記録ホルダー（Ｄｔ）であり、不特定多数宛に暗証番号等を送受信する際に使用される臨時暗証番号が記憶される場所である。例えば、暗証番号を購入チケット番号として送受信するときに、臨時に使用することができる。ただし、操作番号（ＯＰ）のｇ桁数字が、「２」に指定されている場合は、受信された新しいデータが書き込まれると、古いデータは削除されるようになっている。
パケット番号３０から９９は、暗証番号記録ホルダー（Ｄ）であり、各パケットには送受信相手の認証カードＡ又は送受信装置Ｂの暗証番号が記憶されている。この暗証番号は、それぞれの装置のシリアル番号としてもよい。この暗証番号は、送受信装置Ｂに予め登録され、恒久的に記録されるようになっており、設定管理者以外には非開示を原則とされる。ただし、この暗証番号を変更可能としても構わない。
次に、送受信装置Ｂから認証カードＡ及び他の送受信装置Ｂへ暗証番号を送信登録する方法について説明する。ユーザーは、暗証番号登録のために、送受信装置Ｂの入力部２０２を使用し、通信番号、操作番号、換算定数、暗証番号記録場所、暗証番号、制御データを順番に設定して発信信号を作成する。
まず通信番号が設定されると、通信番号はパケット番号１のパケットへ記憶され、操作番号が設定されると操作番号はパケット番号２のパケットへ記憶される。このとき、操作番号の先頭桁数字が「０」の場合、換算定数、暗証番号記録場所及び暗証番号は、それぞれパケット番号３、５及び７のパケットに自動的に記録されるようになっている。先頭桁数字が「１」の場合は、それぞれパケット番号４、６及び８のパケットに自動的に記録されるようになっている。
操作番号の先頭桁数字が「０」の場合、換算定数Ｘ０、Ｙ０が設定されるとパケット番号３のパケットの上４桁に換算定数Ｘ０、下４桁に換算定数Ｙ０が記憶される。また、先頭桁数字が「１」の場合、換算定数Ｘ１、Ｙ１が設定されるとパケット番号４のパケットの上４桁に換算定数Ｘ１、下４桁に換算定数Ｙ１が設定される。
暗証番号記録場所では、暗証番号記録ホルダー（Ｄ）のうちから、暗証番号が未設定のパケットが、自動的に選択される。そして最後に制御データが設定されると、制御データはパケット番号９のパケットに記憶される。その他のパケットには、特にデータは設定されないが、ランダムな数が設定されるようにしてもよい。
このようにして生成された発信信号は、送受信装置Ｂから、認証カードＡ又は他の送受信装置Ｂへ送信される。認証カードＡへ送信される場合は、入力部２０２で送信命令が指定されると、送受信ヘッド２０３ａを通して認証カードＡへ送信される。認証カードＡは、入出力部１０３を通して発信信号を受信する。
一方、送受信装置Ｂから他の送受信装置Ｂへ、発信信号が送信される場合は、入力部２０２で他の送受信装置Ｂのアドレスが電話番号等によって指定され、モデム２１０経由で他の送受信装置Ｂへ送信される。
上記暗証番号登録用発信信号は、認証カードＡによって受信されると、認証カードＡはユーザーによって暗証番号登録用モードに切り替えられ、上記発信信号は記憶部１０６へ登録される。また、上記発信信号は他の送受信装置Ｂによって受信されると表示部２０４に表示され、ユーザーは上記発信信号の内容を確認して、登録操作を行う。この登録は、通常、後述する暗証番号送信を行う認証カードＡと送受信装置Ｂの間で、若しくは送受信装置Ｂ間で一度のみ行われる。ただし、上記の登録は、登録先の送受信装置Ｂからの暗証番号登録用発信信号を受信することなく、認証カードＡ及び送受信装置Ｂで各々独自に設定できるようにしてもよい。
次に、認証カードＡ又は送受信装置Ｂから、別の送受信装置Ｂへのデータ送信について説明する。送信側で、予め登録されている暗証番号データに基づき通信番号、操作番号、換算定数、暗証番号記録場所、暗証番号が指定されると、これらのデータに基づき第１及び第２発信信号が生成される。
なお、暗証番号以外の大容量のデータ（例えば、音楽データ、文書データ等）が送信される場合は、上記通信番号等に加えてさらに前記データが指定される。指定されたデータは、第１及び第２発信信号によって送信される暗証番号によって暗号化され、暗号化されたデータはパケットに分割され、第２発信信号の後に合成される。ただし、前記暗号化されたデータは、第１発信信号の後に合成されてもよい。
図１３に示すように、通信番号、操作番号、換算定数、暗証番号記録場所、暗証番号の代替値、制御データは、それぞれ第１発信信号のパケット番号１、２、３、５、７、９に配置される。ここで、操作番号の先頭桁番号は「０」が指定されているとする。この番号が「１」の場合、前記データはパケット番号１、２、４、６、８、９に配置される。
上記換算定数、暗証番号記録場所は、予め送信側の送受信装置Ｂとの間で取り決められ、登録されたものである。また、パケット番号３のパケットには、上４桁に「００００」、下４桁に換算定数Ｘ０が配置される。パケット番号７のパケットに配置される代替値は、暗証番号に換算定数Ｙ０が加算された値である。
この第１発信信号が送信され、送受信装置Ｂによって受信されると、送受信装置Ｂは、パケット番号１のパケットの通信番号を表示部２０４へ表示する。そして、パケット番号２のデータの先頭桁数字が「０」であり、ｇ桁の数字が「０」であるので、パケット番号５のデータで指定されているパケット番号のデータを選択する。この場合は、パケット番号５のデータは、「００００００３０」なので、送受信装置Ｂが有するパケット番号３０の暗証番号が選択される。
そして、選択された暗証番号の上２桁の数字と、第１発信信号のパケット番号７の暗証番号代替値の上２桁が比較される。これらが一致すれば、送受信装置Ｂは仮認証し、一致したことを示すアンサーバック信号を送信側へ返信する。アンサーバック信号は、一致したことを示す場合、例えば、送信された第１発信信号の制御データを、「１１１１１１１１」にして返信される。一方、不一致の場合、アンサーバック信号は、例えば制御データを、「００００００００」にして返信される。その他、アンサーバック信号の特定の形式を設定しておき、この形式に従って送信してもよい。
第１発信信号が認証カードＡから送信されたものである場合は、アンサーバック信号は、送受信ヘッド２０３ａから送信される。第１発信信号が他の送受信装置Ｂから送信されたものである場合は、アンサーバック信号は、モデム２１０を介して他の送受信装置Ｂの電話番号へ返信される。
暗証番号は、８桁の数字で設定されるが、４桁の換算定数が加算されたときに、上２桁に影響が及ばないように、上から３桁目の数字は、９以外となるように設定されている。また、換算定数が減算される場合は、上から３桁目の数字は、０以外となるように設定されている。
送信側は、アンサーバック信号を受信すると、第２発信信号を送受信装置Ｂへ送信する。第２発信信号は、図１４に示すように通信番号、換算定数、暗証番号の代替値で構成され、これらのデータは、それぞれ第２発信信号のパケット番号１、３、７に配置される。ここで、操作番号の先頭桁番号は「０」である。この番号が「１」の場合、前記データはパケット番号１、４、８に配置される。なお、第２発信信号によって、新たに操作番号を送信するようにしてもよい。
パケット番号１のパケットに配置される通信番号は、第１発信信号の通信番号と同一である。パケット番号３のパケットには、上４桁に「００００」、下４桁に換算定数Ｙ０が配置される。パケット番号７のパケットに配置される代替値は、暗証番号に換算定数Ｘ０が加算された値である。
第２発信信号が送受信装置Ｂによって受信されると、第１発信信号の通信番号と第２発信信号の通信番号が比較され、一致すれば、それぞれの暗証番号の代替値が他方の発信信号の換算定数によって、復号化される。そして、さらにそれらの復号値が一致すれば、その復号値が暗証番号として採用される。
図１３、１４の場合は、操作番号のｇ桁の数字が「０」であり、暗証番号記録場所が「００００００３０」であるので、送受信装置Ｂの暗証番号記録ホルダーのパケット番号３０のデータが暗証番号として選択される。そして、さらに復号化された暗証番号は、パケット番号３０の暗証番号と比較され、認証が行われ、一致していれば暗証番号として採用される。
暗証番号は、８桁の数字で設定されているが、上４桁をマスター認証番号、下４桁を個人認証番号として、区別してもよい。管理人によって複数人を管理する場合、その複数人に対してマスター認証番号を共通に与えることによって、マスター認証番号で認証するようにしてもよい。
また、第２発信信号が暗号化された大容量データを伴っている場合、該データは、認証され採用された暗証番号を復号鍵として復号が行われる。そして、ユーザーは、入出力部２０３ｂを介してデータを取得することができる。
なお、前記大容量データは、例えば１又は２以上のバーコードデータとすることが可能である。例えば、運送会社等は、運送物に付したバーコードデータを暗証番号によって暗号化し、その暗号化されたバーコードデータを予め運搬先に第１又は第２発信信号の少なくとも一方に添付して送信する。運搬先は、第１及び第２発信信号を受信し、これら発信信号によって運送会社等を認証し、得られた暗証番号から前記バーコードデータを復号化することができる。このバーコードデータを使用して、確実に運搬物の確認を行うことが可能となる。
また、別の方法として、第１発信信号を入出力部２０３ｂから出力させ、そのデータをバーコードとして印刷して運搬物に添付し、運搬物に関する暗号化された大容量データを伴った第２発信信号を運搬先へ送信してもよい。この場合は、運搬先で運搬物に添付されたバーコードを入出力部２０３ｂで読取り、これにより読取られた第１発信信号と、予め受信している第２発信信号とによって、暗証番号が復号される。この暗証番号を復号鍵として、大容量データが復号化される。
また、さらに別の方法として第１発信信号を受信者側へ送信しておき、暗号化された大容量データを伴う第２発信信号を入出力部２０３ｂから記憶メディアへ出力して、受信者側へ配送してもよい。この場合、受信者側では、前記記憶メディアに記憶された第２発信信号と、予め受信している第１発信信号から、暗証番号が復号され、この暗証番号によって前記大容量データが復号される。
さらに、受信側の送受信装置Ｂは、予め送信側機器とデータを送受信することができる回数を設定しておき、データを受信したときにその回数を減らしていくようにしてもよい。また、送信側の送受信装置Ｂがデータ配信サービスを行う場合は、受信側の送受信装置Ｂが利用できる回数を送信側で決めておき、データを送信する毎にその利用回数を減らしていくようにすればよい。
また、認証カードＡから送受信装置Ｂへデータ送信する場合、第１発信信号送信時に認証カードＡに予め登録されている操作番号と、指定された操作番号とが一致するか否かが判別され、一致しなければデータが送信されないようにしてもよい。さらに、その判別において、それらの番号が所定回数、一致しない場合は、認証カードＡの記憶部１０６に記憶された暗証番号等のデータが消去されるようにしてもよい。
上記の判別は、例えば操作番号のｂ、ｃ、ｄ桁数字は、認証カードＡのユーザー毎に設定された番号としておき、ユーザーは、操作番号指定時に操作番号のｂ、ｃ、ｄ桁数字を、設定された番号に指定する。そして、第１発信信号が送信されるときに、指定された操作番号のｂ、ｃ、ｄ桁数字と、認証カードＡに登録されている操作番号のｂ、ｃ、ｄ桁数字とが一致するか否かの判別が行われるようにする。
このようにすると、認証カードＡが不正に取得された場合であっても、該取得者は、登録された操作番号を知らなければその認証カードＡを使用して送受信装置Ｂとのデータ送信を行うことができないので好適である。また、誤って認証カードＡの暗証番号等のデータが消去されてしまった場合でも、認証カードＡは、再度、送受信装置Ｂとの間で暗証番号等のデータ登録が行われれば、使用することができるようになる。なお、操作番号が第２発信信号に含まれる場合は、第２発信信号が発信されるときに、上記判別を行うようにしてもよい。
なお、送受信装置Ｂから他の送受信装置Ｂへのデータ送信の場合、第１発信信号及び第２発信信号の送信経路は選択できるようになっている。送信経路は、予め設定される。例えば、第１発信信号は、電話回線を利用され、第２発信信号は、専用線を利用することが可能である。その他、第１及び第２発信信号は、電話回線、専用線、インターネット回線、無線等の別々の回線を利用することが可能である。また、第２発信信号は、予め設定された登録管理者経由で受信側の送受信装置Ｂへ送信されるように設定することが可能である。
さらに、第１発信信号又は第２発信信号の少なくとも一方を入出力部２０３ｂから記憶メディア等に記憶させ、前記記憶メディアを受信側へ配送することも可能である。受信側は、前記記憶メディアに記憶された発信信号を、入出力部２０３ｂから読み込むことが可能である。
また、認証カードＡへ所定の入力信号が入信した場合に、自動的に送受信装置Ｂへデータが送信されるように構成してもよい。例えば、認証カードＡへの入力信号を、ドア開閉検出器、火災検出器等からの信号とすることにより、火災等が検出された場合に、自動的に入出力部１０３から送受信装置Ｂの送受信ヘッド２０３ａへ暗証番号及び予め設定されている操作番号等が送信される。
これにより、送受信装置Ｂは、暗証番号によって認証カードＡを確実に認証し、受信した操作番号によって所定の処理を行うことができる。例えば、火災検出器からの信号により認証カードＡが送受信装置Ｂへデータ送信する場合は、送受信装置Ｂは火災警報機として、所定の連絡先へ通報、警報機の作動等の処理を行うようにする。
このように、認証カードＡから送受信装置Ｂへのデータ送信は、配線を介すことなく行われるため、容易に各種の検出器を利用したシステムを構成することができる。
次に、認証カードＡ又は送受信装置Ｂ（以下、送信側機器という）から、他の送受信装置Ｂへ発信信号が送信されるときの、送信側機器の処理について図１５に基づき説明する。ここでは、送受信装置Ｂから他の送受信装置Ｂへは、第２発信信号に大容量データを伴わず、通信回線１を介して送信される場合を説明する。なお、第１発信信号及び第２発信信号の送信に使用される通信回線Ｉは、予め指定される。ステップＳ１０で、ユーザーによって入力部１０４、２０４から通信番号、操作番号、換算定数、暗証番号記録場所、暗証番号、制御データが指定され、ステップＳ１１へ進む。
操作番号、暗証番号、換算定数及び暗証番号記録場所は、暗証番号登録時に、送信側機器に予め登録されているものであり、これらのうち暗証番号及び暗証番号記録場所は、受信側の送受信装置Ｂにも登録されているものである。
そして、送信側機器は、ステップＳ１１でユーザーの入力に基づき送信指令信号を受けると、ステップＳ１２で第１発信信号を生成する。ここで、送受信側機器が認証カードＡである場合は、受信側の送受信装置Ｂの場所は指定されないが、送受信側機器が送受信装置Ｂである場合は、受信側の送受信装置Ｂの場所が、例えば電話番号で指定される。
送信側機器は、ステップＳ１２で第１発信信号を生成すると、ステップＳ１３で第１発信信号を送信する。ここで、送受信側機器が認証カードＡである場合、第１発信信号は入出力部１０３から送信されるが、送受信側機器が送受信装置Ｂである場合は、モデム２１０経由で、指定された通信回線Ｉを使用して送受信装置Ｂへ送信される。
なお、第１発信信号が送信されるときに、予め登録されている操作番号を用いて、指定された操作番号が正しいか否かの判別を行うようにしてもよい。判別の結果、指定された操作番号が正しい場合は、ステップＳ１４へ進み、正しくない場合は、表示部１０４、２０４にその旨を表示させるようにして、処理を終了するようにしてもよい。
また、指定された操作番号が正しくない場合は、その回数をカウントし、処理を終了せずにステップＳ１０へ戻るようにしてもよい。その回数が所定回数（例えば、４回）に達したときに、登録されている暗証番号等のデータが消去されるようにする。このとき、カウントされた回数は、ステップＳ１４へ進んだときに、リセットされて「０」回に戻るようにしてもよい。
そして、ステップＳ１４で相手側の送受信装置Ｂからのアンサーバック信号を受信し、ステップＳ１５へ進む。なお、ステップＳ１３で第１発信信号を送信してから、所定時間以内にアンサーバック信号を受信しない場合は、処理を終了するようにしてもよい。
第１発信信号を受信した送受信装置Ｂは、送信側機器から送信された暗証番号と受信側の送受信装置Ｂが有する暗証番号が部分一致すると、一致した旨を示すアンサーバック信号を返信する。一方、部分一致しなかった場合は、不一致の旨を示すアンサーバック信号が返信される。
ステップＳ１５で、一致した旨のアンサーバック信号を受信したと判別された場合（ステップＳ１５；Ｙｅｓ）は、ステップＳ１６で、ステップＳ１０の設定に基づき第２発信信号を生成する。そして、ステップＳ１７で生成した第２発信信号を送信し、処理を終了する。
一方、ステップＳ１５で、不一致の旨のアンサーバック信号と判別された場合（ステップＳ１５；Ｎｏ）は、処理を終了する。なお、不一致の旨を表示部１０４、２０４に表示させるようにしてもよい。
次に、送受信装置Ｂが認証カードＡ又は他の送受信装置Ｂから、発信信号を受信したときの、受信側の処理について図１６乃至図１８に基づき説明する。まず、ステップＳ３０で、送信側機器から第１発信信号を受信すると、ステップＳ３１で、送受信装置Ｂの記憶部２０６にパケット番号１から９のパケットとして一時記録される。そして、ステップＳ３２で、パケット番号２のパケットのデータが参照され、先頭桁番号が確認され、ステップＳ３３へ進む。
ステップＳ３３では、先頭桁番号が「０」か否かの判別がなされる。先頭桁番号が「０」の場合（ステップＳ３３；Ｙｅｓ）は、ステップＳ３４へ進み、パケット番号５のデータによって暗証番号記録場所のパケット番号が参照される。そして、ステップＳ３５で当該パケット番号のデータを暗証番号として参照し、ステップＳ３６へ進む。ステップＳ３６でパケット番号７のパケットから第１発信信号で受信した暗証番号の代替値が参照される。
一方、ステップＳ３３で先頭桁番号が「０」でない場合（ステップＳ３３；Ｎｏ）は、ステップＳ３７へ進み、先頭桁番号が「１」か否かの判別がなされる。ステップＳ３７で先頭桁番号が「１」の場合（ステップＳ３７；Ｙｅｓ）は、ステップＳ３８からＳ４０へ進み、ステップＳ３４からＳ３６と同様に、パケット番号６のデータにより暗証番号記録場所のパケット番号が参照され、当該パケット番号のデータが暗証番号として参照され、パケット番号８のデータから暗証番号の代替値が参照される。先頭桁番号が「１」でない場合（ステップＳ３７；Ｎｏ）は、処理を終了する。
そして、ステップＳ４１で、ステップＳ３５で参照された暗証番号と、第１発信信号の暗証番号の代替値の上２桁の数字が仮認証のため比較される。比較の結果、両者が一致しない場合（ステップＳ４１；Ｎｏ）は、ステップＳ４２へ進み、不一致の旨のアンサーバック信号を送信側機器へ返信し、処理を終了する。
一方、ステップＳ４１での比較の結果、両者が一致した場合（ステップＳ４１；Ｙｅｓ）は、ステップＳ４３へ進む。ステップＳ４３で、一致した旨のアンサーバック信号を送信側機器へ返信する。
次に、ステップＳ４４で、送信側機器から第２発信信号を受信し、ステップＳ４５で、第２発信信号を一時記録する。なお、ステップＳ４３でアンサーバック信号を送信してから、所定時間以内に第２発信信号を受信しない場合は、処理を終了するようにしてもよい。
次に、ステップＳ４６で、第１発信信号と第２発信信号の通信番号が一致するか否かを判別する。判別の結果、一致した場合（ステップＳ４６；Ｙｅｓ）は、両者を一対の発信信号とみなし、ステップＳ４７へ進む。一方、一致しない場合（ステップＳ４６；Ｎｏ）は、処理を終了する。
なお、アンサーバック信号送信後に、別の第１発信信号等を受信する場合があることを考慮して、受信した信号の通信番号が一致しない場合でも、アンサーバック信号送信から所定時間は、さらに別の第２発信信号を待つようにしてもよい。
ステップＳ４７では、操作番号の先頭桁番号が「０」であるか否かが判別され、「０」である場合（ステップＳ４７；Ｙｅｓ）は、ステップＳ４８へ進み、第１及び第２発信信号のパケット番号３のパケットの換算定数が参照される。ここでは、それぞれを換算定数Ｘ、Ｙとする。一方、ステップＳ４７で先頭桁番号が「０」でない場合は、ステップＳ４９へ進む。
ステップＳ４９で、先頭桁番号が「１」であるか否かが判別され、「１」である場合（ステップＳ４９；Ｙｅｓ）は、ステップＳ５０へ進み、ステップＳ４８と同様に、換算定数Ｘ、Ｙを第１及び第２発信信号のパケット番号４のパケットから読み込む。先頭桁番号が「１」でない場合（ステップＳ４９；Ｎｏ）は、処理を終了する。
次に、ステップＳ５１では、第１発信信号の暗証番号の代替値（以下、Ｃｘとする）と換算定数Ｙから、暗証番号が演算される。また、第２発信信号の暗証番号の代替値（以下、Ｃｙとする）と換算定数Ｘから、暗証番号が演算され、ステップＳ５２へ進む。
ステップＳ５２では、第１発信信号で受信した操作番号のｇ桁数字が参照され、これが「０」又は「１」の場合（ステップＳ５２；ｇ＝０、１）は、ステップＳ５３へ進む。一方、「２」の場合（ステップＳ５２；ｇ＝２）は、ステップＳ５４へ進む。
ステップＳ５３では、送受信装置Ｂの暗証番号記録ホルダー（Ｄ）又は暗証番号一時記録ホルダー（Ｄｔ）のパケットの暗証番号が読み込まれ、ステップＳ５５へ進む。ここで、当該パケットは、第１発信信号の暗証番号記録場所で指定されたパケット番号のパケットである。
ステップＳ５５では、ステップＳ５１で第１及び第２発信信号から計算された暗証番号及びステップＳ５３で読み込まれた暗証番号が一致するか否かが判別される。それらが一致した場合（ステップＳ５５；Ｙｅｓ）は、ステップＳ５６へ進み、操作番号で指定されている所定の操作が実行され、処理を終了する。ステップＳ５５で、一致しない場合（ステップＳ５５；Ｎｏ）は、処理を終了する。
上記所定の操作とは、例えば安全管理のための外部装置Ｃの操作、人の入出管理処理操作、自動ゲート開閉操作、各種予約処理操作等である。
ステップＳ５２で、操作番号のｇ桁数字が「２」の場合（ステップＳ５２；ｇ＝２）は、所定の暗証番号一時記録ホルダー（Ｄｔ）のパケットに計算された暗証番号が記録されると共に、元のパケットのデータは消去され、処理を終了する。
なお、上記実施例では、認証カードＡから送受信装置Ｂへ発信信号を送信する場合にも、送受信装置Ｂから認証カードＡへアンサーバック信号を返信させるようにしていた。しかし、認証カードＡから送受信装置Ｂへは、近距離間での送信となるため、発信信号が漏洩する可能性は低いので、アンサーバック信号の返信は省略してもよく、その際、第１及び第２発信信号は同時に送信されるようにしてもよい。
また、第１又は第２発信信号の少なくとも一方が、記憶メディアに記憶されて送信側から受信側の送受信装置Ｂへ配送される場合は、ユーザーによって入力部２０４から通信番号、操作番号、換算定数、暗証番号記録場所、暗証番号、制御データが指定されると、第１及び第２発信信号が生成され、必要であれば暗号化されたデータが一方の発信信号に合成される。そして、一方の発信信号が、入出力部２０３ｂから記憶メディアへ出力される。他方の発信信号は、通信回線を通して、他の送受信装置Ｂへ送信される。
他の送受信装置Ｂでは、前記記憶メディアに記憶された一方の発信信号が入出力部２０３ｂから読取られ、その発信信号と既に受信している他方の発信信号により認証が行われて、暗証番号等のデータが復号される。
なお、他方の発信信号は、他の送受信装置Ｂへ受信されると記憶部２０６に保存され、前記記憶メディアに記憶された一方の発信信号が読み込まれたときに、該発信信号と通信番号に基づき組み合わされる。
次に、具体例として、操作番号によって、ドアロックＤを操作する手順について説明する。送受信装置Ｂは、送信側機器から送信された発信信号の暗証番号を認証すると、操作番号に従って操作を実行する。
ステップ６０において、操作番号のｈ桁の数字が「１」である場合（ステップＳ６０；Ｙｅｓ）、ステップＳ６１で送受信装置Ｂは、接続されているドアロックＤへロック解除の信号を送信する。ドアロック解除の信号が送信されると、ステップＳ６２で認証確認タイマの作動を開始させる。
認証確認タイマは、予めタイマの時間が設定されており、設定時間が経過すると、外部へ警報を行うためのものである。ステップＳ６０で、操作番号のｈ桁の数字が「１」でない場合（ステップＳ６０；Ｎｏ）は、処理を終了する。
ステップＳ６３で、認証確認タイマの設定時間が経過したか否かを判別し、設定時間が経過していない場合（ステップＳ６３；Ｎｏ）は、ステップＳ６３を繰り返し、設定時間が経過した場合（ステップＳ６３；Ｙｅｓ）は、ステップＳ６４へ進む。
ステップＳ６４で、外部装置Ｃの一つであるドアスイッチによって、ロックが解除されたドアが開いているのか閉まっているのかが判別される。ドアが開いていると判別された場合（ステップＳ６４；Ｙｅｓ）は、ステップＳ６５へ進み、警報機を作動させ、処理を終了する。
一方、ドアが閉まっていると判別された場合（ステップＳ６４；Ｎｏ）は、処理を終了する。この場合は、ドアロックＤの作動に関してのみについて説明したが、操作番号によって他の操作が指定されている場合は、他の操作が行われる。また、上記ドアロックＤは、ロック解除のみを入力信号とする場合であるが、ロック解除及び施錠の入力信号によって、ロックの解除と施錠を両方操作することができるものであってもよい。
産業上の利用性
以上のように本発明によれば、暗証番号等の認証データのデータ送信を行う際に、第１発信信号と第２発信信号が設定され、それらは別々に受信者へ送信される。第１発信信号には、第２の換算定数によって変換された認証データの代替値が配置されると共に、第１の換算定数が配置され送信される。一方、第２発信信号には、第１の換算定数によって変換された同一の認証データの代替値が配置されると共に、第２の換算定数が配置され送信される。
受信者は、両方の発信信号を受信して、第２、第１の換算定数によって、それぞれ第１、第２発信信号に含まれる認証データの代替値を認証データへ換算し直し、両者から得られた認証データが等しければ認証データとして受信する。
したがって、発信信号の途中の経路で一方の発信信号が漏洩した場合であっても、漏洩した一方の発信信号のみでは認証データを復号することはできないので、送信者は安全に認証データを送信者へ送信することができる。また、送信経路を変えることにより、より安全なデータ送信が可能となる。
また、認証データの暗号化、復号化は、換算定数による容易なものであるにも関わらず、安全なデータ送信が可能であり、データ送信に係る構成が簡単であるため、コストが掛からずにデータ送信システムを構築することができる。
また、本来の送信者になりかわって第３者がデータを送信したとしても、受信者側で送信者の個人認証を行うことができるので、成りすまし送信による不都合を防ぐことができる。
したがって、本発明のデータ送信システムを用いることにより、安全性の高いユーザーの認証、機密書類の送信等のサービスを提供することができる。さらに、ユーザーの暗証番号登録、抹消、データ配送、それらの制御条件変更等を管理する暗証番号登録管理サービスを提供することができる。
また、本発明のデータ送信システムを用いて受信側に認証データを送信して認証させると共に、認証データに付随したデータを送信することにより、受信側に所定の操作を行わせることができる。従って、個人認証された送信者による、所定の操作の遠隔操作が可能となる。
また、本発明のデータ送信システムを用いたドアロックによれば、個人認証された送信者によって、ドアロックの解錠を行うことができ、さらにこのドアロックが不作動のとき、送信者は別に認証データを送信することにより、ドアロックを壊すことなく解錠できる。
【図面の簡単な説明】
図１乃至図３は本発明のデータ送信方法の説明図であり、図４乃至図６はデータの送信手法の説明図、図７はデータ送信システムの概要を示す説明図、図８は認証カードの回路図、図９は送受信装置の回路図、図１０はドアロックの部分断面図、図１１はドアロックの回路図、図１２は送受信装置の送受信データ形式の説明図、図１３は第１発信信号のデータ形式の説明図、図１４は第２発信信号のデータ形式の説明図、図１５は送信側のプログラムによる処理の流れを示すフローチャート、図１６乃至図１９は受信側のプログラムによる処理の流れを示すフローチャートである。
【図１】
2002030040.tif 000003
【図２】
2002030040.tif 000004
【図３】
2002030040.tif 000005
【図４】
2002030040.tif 000006
【図５】
2002030040.tif 000007
【図６】
2002030040.tif 000008
【図７】
2002030040.tif 000009
【図８】
2002030040.tif 000010
【図９】
2002030040.tif 000011
【図１０】
2002030040.tif 000012
【図１１】
2002030040.tif 000013
【図１２】
2002030040.tif 000014
【図１３】
2002030040.tif 000015
【図１４】
2002030040.tif 000016
【図１５】
2002030040.tif 000017
【図１６】
2002030040.tif 000018
【図１７】
2002030040.tif 000019
【図１８】
2002030040.tif 000020
【図１９】
2002030040.tif 000021
【国際調査報告】
2002030040.tif 000022
2002030040.tif 000023
2002030040.tif 000024
2002030040.tif 000025
2002030040.tif 000026